(57)【要約】【課題】  簡易的に清掃対象物の表面に付着した付着物を取り除き、かつ、紫外線照射による殺菌が行える殺菌機能付き清掃具を提供する。【解決手段】  円筒形状又は円柱形状を呈したローラ本体部と、前記ローラ本体部の外側面の周方向に巻き付けられてなる粘着シートとを含む粘着ローラと、前記粘着ローラに対して当該粘着ローラの径方向に連結され、紫外線を放射する紫外線光源及び前記紫外線を外部に照射するための照射窓を含む紫外線照射器と、前記紫外線照射器に連結された、操作者が手で握るための把持部とを有することを特徴とする殺菌機能付き清掃具。【選択図】        図１
2020099480.tif 000002
【特許請求の範囲】
【請求項１】
円筒形状又は円柱形状を呈したローラ本体部と、前記ローラ本体部の外側面の周方向に巻き付けられてなる粘着シートとを含む粘着ローラと、
前記粘着ローラに対して当該粘着ローラの径方向に連結され、紫外線を放射する紫外線光源及び紫外線を外部に照射するための照射窓を含む紫外線照射器と、
前記紫外線照射器に連結された、操作者が手で握るための把持部とを有することを特徴とする殺菌機能付き清掃具。
【請求項２】
前記粘着ローラの径方向に関して、前記把持部と前記粘着ローラとの間に前記紫外線照射器を備えることを特徴とする請求項１に記載の殺菌機能付き清掃具。
【請求項３】
前記粘着ローラの径方向に関して、前記粘着ローラを挟む複数箇所に前記照射窓を備えることを特徴とする請求項１又は２に記載の殺菌機能付き清掃具。
【請求項４】
前記紫外線照射器は、前記紫外線光源を収容するケーシングを有し、
前記ケーシングは、一方の面に前記照射窓が形成されるとともに、前記紫外線光源から見て前記照射窓に対して反対側の位置に、前記紫外線光源から出射された紫外線を、前記照射窓へ導くための反射部材を備えることを特徴とする請求項１〜３のいずれか一項に記載の殺菌機能付き清掃具。
【請求項５】
前記紫外線照射器は、主たる波長が２００ｎｍ〜２３０ｎｍの紫外線を照射することを特徴とする請求項１〜４のいずれか一項に記載の殺菌機能付き清掃具。
【請求項６】
前記紫外線光源は、クリプトンと塩素の混合ガスが封入されたエキシマランプであることを特徴とする請求項１〜５のいずれか一項に記載の殺菌機能付き清掃具。
【請求項７】
前記照射窓は、少なくとも２３０ｎｍ〜３００ｎｍの紫外線を遮光するフィルタを備えることを特徴とする請求項１〜６のいずれか一項に記載の殺菌機能付き清掃具。
【請求項８】
前記紫外線照射器の前記照射窓が清掃対象物に対して、所定の距離以内まで近接しているかを検出する近接センサ、及び前記粘着ローラが回転していることを検出する回転センサの少なくとも一方のセンサと、
前記センサから出力される信号に基づいて、前記紫外線光源の制御を行う制御部を備えることを特徴とする請求項１〜７のいずれか一項に記載の殺菌機能付き清掃具。
【発明の詳細な説明】
【技術分野】
【０００１】
本発明は、清掃具に関し、特に紫外線を照射する殺菌機能付き清掃具に関する。
【背景技術】
【０００２】
従来、食品工場のような厳しい衛生管理が必要な場所においては、清浄な空間を維持するために、簡易的に清掃及び殺菌ができる装置が期待されている。例えば、下記特許文献１には、清掃対象物に付着した毛髪や塵埃等（以下、まとめて「付着物」と称する）を吸引し、付着物が取り除かれた清掃対象物に紫外線を照射する装置が記載されている。
【先行技術文献】
【特許文献】
【０００３】
【特許文献１】特開平８−１３１５２２号公報
【発明の概要】
【発明が解決しようとする課題】
【０００４】
ところで、上述のような、厳しい衛生管理が必要な場所では、作業者は、白衣や防塵服等の作業着を着用し、清浄空気の吹付け（以下、「エアシャワー」と称する）等によって作業着に付着している付着物を取り除いてクリーンルームへの入退室を行っている。しかし、エアシャワーは、数十秒から数分の間、風を吹付けなければならないため、作業者は入室するだけで数分の時間を要してしまう。そのため、作業者が容易にクリーンルームを入退室できないといった問題があった。
【０００５】
さらに、エアシャワーは作業着の表面に付着した付着物を取り除くことはできるが、隙間等に入り込んだ微生物等を取り除くことは難しく、エアシャワーのみでは、そのまま微生物等をクリーンルームへ持ち込んでしまう可能性がある。そのため、作業者は、エアシャワーによって作業着の表面に付着した付着物を取り除くだけでなく、作業着の殺菌処理も行う必要がある。
【０００６】
そこで、上記特許文献１に記載されている装置を用いることが考えられる。しかしながら、当該装置は、排気口から排出される空気によって、空気中又は床付近に滞留している付着物や微生物を巻き上げてしまい、作業着の清掃済みの部分に付着させてしまう可能性があるため、作業着の清掃や殺菌には適さない。
【０００７】
空気の吹付けや吸引を行わずに殺菌処理を行う方法としては、作業着を殺菌剤（例えば、アルコール等）に含浸させたり、殺菌剤を噴霧したりして、入室時に作業着の殺菌処理を行う、又は、予め作業着を殺菌処理しておくという方法がある。
【０００８】
かかる方法によると、入室時において再度殺菌処理を行う場合、作業着を殺菌剤に含浸させたり、殺菌剤を噴霧したりする必要性が生じる。そうすると、作業者は、作業着が乾燥するのを待たなければならず、かえってクリーンルームへの入室に多くの時間を要してしまう。殺菌処理済みの作業着を予め用意しておく場合は、短時間での入退室は可能になる。しかし、作業者が作業中に食事や休憩のために数回の入退室をすることを鑑みると、大量の殺菌処理済みの作業着を用意しておかなければならないという課題が生じてしまう。
【０００９】
本発明は、上記課題に鑑み、簡易的に清掃対象物の表面に付着した付着物を取り除き、かつ、紫外線照射による殺菌が行える殺菌機能付き清掃具を提供することを目的とする。
【課題を解決するための手段】
【００１０】
本発明に係る殺菌機能付き清掃具は、
円筒形状又は円柱形状を呈したローラ本体部と、前記ローラ本体部の外側面の周方向に巻き付けられてなる粘着シートとを含む粘着ローラと、
前記粘着ローラに対して当該粘着ローラの径方向に連結され、紫外線を放射する紫外線光源及び紫外線を外部に照射するための照射窓を含む紫外線照射器と、
前記紫外線照射器に連結された、操作者が手で握るための把持部とを有することを特徴とする。
【００１１】
粘着ローラは、円筒形状又は円柱形状を呈するローラ本体部の外側面の周方向に粘着シートが巻き付けられて構成されている。つまり、粘着ローラは、清掃対象物に接触させて回転移動させることで、清掃物の表面に付着した付着物を粘着する。
【００１２】
粘着シートは、何度も使用していると粘着した付着物によって粘着面が覆われてしまうため、次第に粘着力が低下する。粘着シートの粘着力が低下した場合は、付着物が付着している部分の粘着シートを剥離することで、付着物が付着していない粘着面が露出し、再び付着物を粘着することができるようになる。
【００１３】
紫外線照射器に含まれている紫外線光源は、紫外線を照射可能な光源であり、例えば所定の放電用ガスが封入された管体を有するとともに、当該管体に対して電圧を印加することで紫外線を放射する構造を採用することができる。紫外線光源から放射された紫外線は、照射窓を通して清掃対象物に対して照射される。
【００１４】
紫外線照射器は、粘着ローラに対して当該粘着ローラの径方向に連結されていることによって、粘着シートを清掃対象物に接触させながら粘着ローラを回転移動させると、粘着ローラの移動に伴って照射窓が移動する。
【００１５】
紫外線照射器には、操作者が手で握るための把持部が連結されており、例えば片手で握って操作できるため、簡易な操作が可能である。これにより、簡易的に清掃対象物に対して粘着ローラを接触させて清掃対象物に付着している付着物を除去し、照射窓の向きを調整して清掃対象物に紫外線を照射することができる。
【００１６】
上記殺菌機能付き清掃具において、
前記粘着ローラの径方向に関して、前記把持部と前記粘着ローラとの間に前記紫外線照射器を備えていても構わない。
【００１７】
上述の構成とすることで、操作者が、把持部を粘着ローラの方向に押すように動かすと、粘着ローラが清掃対象物に付着した付着物を粘着し、粘着ローラによって付着物が取り除かれた領域に対して、粘着ローラに追従する紫外線照射器が清掃対象物に対して紫外線を照射するように動作する。
【００１８】
上記殺菌機能付き清掃具において、
前記粘着ローラの径方向に関して、前記粘着ローラを挟む複数箇所に前記照射窓を備えていても構わない。
【００１９】
上述の構成とすることで、操作者が把持部を握って清掃対象物に粘着ローラを接触させ、粘着ローラが回転するいずれの方向に動かしたとしても、清掃対象物から付着物が取り除かれた領域に対して、紫外線を照射することができる。
【００２０】
上記殺菌機能付き清掃具において、
前記紫外線照射器は、前記紫外線光源を収容するケーシングを有し、
前記ケーシングは、一方の面に前記照射窓が形成されるとともに、前記紫外線光源から見て前記照射窓に対して反対側の位置に、前記紫外線光源から出射された紫外線を、前記照射窓へ導くための反射部材を備えていても構わない。
【００２１】
ケーシングは、紫外線照射器から出射された光が外部に放射されないように形成され、一部に照射窓が形成されている。ケーシング内の紫外線光源から見て照射窓に対して反対側の位置に反射部材が設けられることによって、紫外線光源から反射部材に向かって出射された紫外線が、清掃対象物に向かって反射される。これにより、紫外線照射器は、無駄なく清掃対象物へ紫外線を照射することができる。
【００２２】
上記殺菌機能付き清掃具において、
前記紫外線照射器は、主たる波長が２００ｎｍ〜２３０ｎｍの紫外線を照射するものであっても構わない。
【００２３】
紫外線光源から放射される光には、殺菌に不要な波長帯の光も含まれており、特に２３０ｎｍ〜３００ｎｍの波長帯の紫外線の一部には、人体に悪影響を及ぼす可能性がある光も存在する。しかし、２３０ｎｍよりも短い波長の紫外線であれば、殺菌効果としては有効であり、大気や皮膚に対する透過率が低いため、人体に対する影響も少ない。
【００２４】
例えば、２０７ｎｍや２２２ｎｍといった波長の紫外線は、皮膚に対して照射されても、皮膚組織の角層や角層近傍の位置における表皮層内で吸収され、真皮までは届かず、人体に対する影響が少ない。また、これらの波長帯の紫外線は、例えば、芽胞菌・大腸菌に対して殺菌効果がある。
【００２５】
上記殺菌機能付き清掃具において、
前記紫外線光源は、クリプトンと塩素の混合ガスが封入されたエキシマランプであっても構わない。
【００２６】
クリプトンと塩素の混合ガスが封入されたエキシマランプは、主たる波長が２２２ｎｍである紫外線を出射するため、上述の波長の紫外線を得ることができる。
【００２７】
また、紫外線光源をエキシマランプとすることで、点灯後すぐに安定した出力が得られる。従って、消灯させたとしても、待機時間なく再稼働ができるため、起動時間を待つことなく使用することができる。
【００２８】
上記殺菌機能付き清掃具において、
前記照射窓は、少なくとも２３０ｎｍ〜３００ｎｍの紫外線を遮光するフィルタを備えていても構わない。
【００２９】
上述の通り、２０７ｎｍや２２２ｎｍといった波長の紫外線は、皮膚に対して照射されても、皮膚組織の角層や角層近傍の位置における表皮層内で吸収され、真皮までは届かず、人体に対する影響が少ない。しかし、２３０ｎｍよりも波長の長い、例えば、２５４ｎｍの紫外線は、波長は皮膚の表皮まで透過し、生細胞にダメージを与える可能性がある。
【００３０】
従って、前記フィルタを備えることで、少なくとも２３０ｎｍ〜３００ｎｍの波長の紫外線は遮光され、人体に対して影響のある紫外線が、紫外線照射器の照射窓から出射することを抑制することができる。
【００３１】
上記殺菌機能付き清掃具において、
前記紫外線照射器の前記照射窓が清掃対象物に対して、所定の距離以内まで近接しているかを検出する近接センサ、及び前記粘着ローラが回転していることを検出する回転センサの少なくとも一方のセンサと、
前記センサから出力される信号に基づいて、前記紫外線光源の制御を行う制御部を備えていても構わない。
【００３２】
近接センサは、紫外線照射器の照射窓が清掃対象物に対して、所定の距離以内まで近接したことを検出すると、紫外線照射器に備えられた制御部に対して信号を出力する。制御部は、近接センサの信号が入力されると、紫外線光源への電圧の印加を開始し、紫外線照射器は、照射窓から清掃対象物に対して紫外線が照射する。
【００３３】
回転センサは、粘着ローラが回転していることを検出すると、紫外線照射器に備えられた制御部に対して信号を出力する。制御部は、回転センサの信号が入力されると、紫外線光源への電圧の印加を開始し、紫外線照射器は、照射窓から清掃対象物に対して紫外線が照射する。
【００３４】
紫外線照射器が、これらのセンサを備えることで、例えば、当該紫外線照射器が紫外線を照射する状態であることが検知されている間にのみ、紫外線光源に電圧が供給されるように制御部によって制御されるといった構成が可能である。
【００３５】
かかる構成とすれば、紫外線光源は、照射窓が清掃対象物に向けられていない時や、粘着ローラが回転していない時のような、紫外線の照射が不要な場合には、電圧が印加されず、紫外線照射器は、照射窓より紫外線を照射しなくなる。これにより、操作者が意図しないタイミングで紫外線が照射されるという事態が生じず、高い安全性が担保される。また、無駄な電力消費を抑制することができるという効果を得られる。
【発明の効果】
【００３６】
本発明によれば、簡易的に清掃対象物の表面に付着した付着物を取り除き、かつ、紫外線照射による殺菌が行える殺菌機能付き清掃具が実現される。
【図面の簡単な説明】
【００３７】
【図１】殺菌機能付き清掃具の第一実施形態の模式的な全体斜視図である。
【図２Ａ】殺菌機能付き清掃具の第一実施形態の模式的な側面図である。
【図２Ｂ】殺菌機能付き清掃具の第一実施形態であって、支持アームの可動態様を示す模式的な側面図である。
【図３Ａ】殺菌機能付き清掃具の第一実施形態の側面の模式的な断面図である。
【図３Ｂ】図３Ａの紫外線照射器の拡大図である。
【図４Ａ】殺菌機能付き清掃具の第一実施形態の模式的な底面図である。
【図４Ｂ】図４Ａの紫外線照射器の拡大図である。
【図５】殺菌機能付き清掃具の第二実施形態の模式的な全体斜視図である。
【図６Ａ】図５の殺菌機能付き清掃具の模式的な底面図である。
【図６Ｂ】図６Ａの殺菌機能付き清掃具の紫外線照射器と把持部のみを表した模式的な底面図である。
【図７】第三実施形態の殺菌機能付き清掃具が備える紫外線照射器の構成を示す底面拡大図である。
【図８Ａ】第四実施形態の殺菌機能付き清掃具が備えるローラ本体部の側面の模式的な断面拡大図である。
【図８Ｂ】第四実施形態の殺菌機能付き清掃具が備えるローラ本体部の正面の模式的な断面拡大図である。
【発明を実施するための形態】
【００３８】
以下、本発明の殺菌機能付き清掃具について、図面を参照して説明する。なお、以下の各図面は、いずれも模式的に図示されたものであり、図面上の寸法比や個数は、実際の寸法比や個数と必ずしも一致していない。
【００３９】
［第一実施形態］
図１は、殺菌機能付き清掃具１の第一実施形態の模式的な全体斜視図である。第一実施形態における殺菌機能付き清掃具１は、粘着ローラ１０と、後述する紫外線光源３０が収容されている紫外線照射器１１が支持アーム１３によって連結されて構成されている。また、紫外線照射器１１には操作者が手で握るための把持部１２が連結されている。なお、第一実施形態では、把持部１２が延伸する方向１４と、粘着ローラ１０の中心軸の方向１５が非平行であり、より詳細には、両者がほぼ直交するような位置関係にある。
【００４０】
図２Ａは、殺菌機能付き清掃具１の第一実施形態の模式的な側面図である。図２Ａに示すように、粘着ローラ１０は、ローラ本体部２０の外側面の周方向２２に粘着シート２１が巻き付けられて構成されている。
【００４１】
なお、粘着シート２１は、ローラ本体部２０に直接巻き付けられていなくてもよい。例えば、円筒形状の芯材に粘着シート２１が巻き付けられているものを、ローラ本体部２０に交換可能に装着するものであっても構わない。
【００４２】
支持アーム１３は、紫外線照射器１１に対して着脱可能であっても構わなく、ローラ本体部２０に対して着脱可能であっても構わない。
【００４３】
さらに、粘着ローラ１０は、支持アーム１３とともに紫外線照射器１１の接続部２３を軸とした周方向２４に可動であってもよい。図２Ｂは、殺菌機能付き清掃具１の一実施形態であって、支持アーム１３の可動態様を示す模式的な側面図である。図２Ｂに示すように、粘着ローラ１０は、支持アーム１３とともに紫外線照射器１１の接続部２３を軸とした周方向２４に可動であることにより、粘着ローラ１０と紫外線照射器１１は、清掃対象物の形状に合わせて柔軟に形状を変えることができる。これにより、複雑な面に付着した付着物の取り逃しが少なくなり、紫外線の照射が不十分となってしまう領域を減らすことができる。
【００４４】
図３Ａは、殺菌機能付き清掃具１の第一実施形態の側面の模式的な断面図である。また、図３Ｂは、図３Ａの紫外線照射器１１の拡大図である。図３Ａに示すように、ローラ本体部２０の中心部には、紫外線照射器１１と連結するためのローラ本体部２０の中心軸に沿うように支持アーム１３が挿入されている。
【００４５】
図３Ａ及び図３Ｂに示すように、紫外線照射器１１は、紫外線光源３０と、紫外線光源３０から出射する紫外線Ｌ１を外部に取り出すための照射窓３１と、電極（３２ａ，３２ｂ）と、電極（３２ａ，３２ｂ）間に電圧を印加するための給電部３５と、給電部３５の電圧の印加を制御するための制御部３６を備えている。そして、紫外線照射器１１は、紫外線光源３０等を収容するケーシング３４を備えている。なお、図３Ａ及び図３Ｂの例では、紫外線照射器１１は、紫外線Ｌ１を反射するための反射部材３３を備えている。
【００４６】
なお、第一実施形態において、紫外線光源３０は、エキシマランプであり、詳細な構造については後述される。
【００４７】
紫外線光源３０は、給電部３５より二つの電極（３２ａ，３２ｂ）間に電圧が印加されると紫外線Ｌ１を出射する。紫外線光源３０から照射窓３１側へ放射された紫外線Ｌ１は、そのまま照射窓３１から清掃対象物へ進行する。紫外線光源３０から照射窓３１とは反対側へ放射された紫外線Ｌ１は、反射部材３３によって照射窓３１側へと反射されて照射窓３１から清掃対象物へ進行する。
【００４８】
また、紫外線光源３０を支持している電極（３２ａ，３２ｂ）も、紫外線光源３０から出射される紫外線Ｌ１の進行の邪魔とならないように、紫外線光源３０から見て、照射窓３１とは反対側に配置されている。そのため、電極（３２ａ，３２ｂ）も同様に紫外線Ｌ１を照射窓３１側へ反射する性質を有していることが好ましい。
【００４９】
一例として、電極（３２ａ，３２ｂ）の材料としては、アルミニウム、ステンレス、鉄、銅等、導電性のある材質からなるものであって、少なくとも照射窓３１と対向する面においては、鏡面研磨処理のような加工が施されていることが好ましい。
【００５０】
図４Ａは、殺菌機能付き清掃具１の第一実施形態の模式的な底面図である。図４Ａに示すように、紫外線照射器１１は、複数の紫外線光源３０を収容しており、二つの電極（３２ａ，３２ｂ）によって支持されている。これらの電極（３２ａ，３２ｂ）間に電圧が印加されることで、紫外線光源３０から出射された紫外線Ｌ１が、照射窓３１から清掃対象物に向かって照射される。
【００５１】
図４Ｂは、図４Ａの紫外線照射器１１の拡大図である。紫外線光源３０は、紫外線に対して透過性を有する管体４０に放電用ガスＧ１が封入されて構成されるエキシマランプである。放電用ガスＧ１は、放電によって紫外線を出射することのできる材料で構成される。放電用ガスＧ１は、例えば、キセノン、アルゴン、ネオン、クリプトン等の希ガス又はこれらの混合ガスと、フッ素、塩素、臭素等のハロゲンガス又はこれらの混合ガスとを含む。
【００５２】
一例として、放電用ガスＧ１は、クリプトンと塩素を含む混合ガスで構成される。この場合、紫外線光源３０からは主たる波長が２２２ｎｍの紫外線が出射される。また別の一例として、放電用ガスＧ１は、クリプトンと臭素を含む混合ガスで構成される。この場合、紫外線光源３０からは主たる波長が２０７ｎｍの紫外線が出射される。
【００５３】
波長が２００ｎｍ〜２３０ｎｍ付近の紫外線Ｌ１を照射する紫外線照射器１１によって十分な殺菌効果を得るためには、照射窓３１は、できる限り清掃対象物に近づけて使用することが好ましい。
【００５４】
以上説明したように、第一実施形態の殺菌機能付き清掃具１は、吸込口から吸い込んだ空気や付着物を殺菌処理部へ導くためのノズルや、吸い込んだ空気を殺菌したり、付着物を溜めたりするための本体部を必要としないため、装置全体が小型となる。これにより、操作者は、片手で把持部１２を握って粘着ローラ１０と紫外線照射器１１を操作することができる。また、清掃対象物に付着した付着物は、粘着ローラ１０で粘着することで清掃対象物から取り除かれるため、殺菌機能付き清掃具１が空気を吸い込んだり、噴き出したりすることもない。
【００５５】
また、紫外線光源３０がエキシマランプであることから、上述のように、点灯後すぐに安定した出力が得られる。紫外線光源３０を消灯していたとしても、作業者がクリーンルームへ入室しようとした場合には、待機時間なく使用することができ、短時間で清掃及び殺菌をすることができる。
【００５６】
さらに、上述のように、粘着ローラ１０は、粘着力が低下してきた場合に粘着シート２１を剥離して使用すればよいが、衛生管理の観点から粘着力の低下にかかわらず当該清掃具を使用するたびに新たな粘着面で清掃及び殺菌を行うことが好ましい。この場合においても、粘着シート２１の一部を剥離する作業は数秒の作業であって、エアシャワーを浴びる時間や、作業着を殺菌剤に含浸させたり、殺菌剤を噴霧したりして乾燥を待つ時間と比較すると、短時間の作業であり、作業者への負担も小さい。
【００５７】
従って、第一実施形態の殺菌機能付き清掃具１によれば、清掃と殺菌の作業の時間が大幅に削減される。また、上述したように、殺菌・清掃時には、作業者は、片手で把持部１２を握って粘着ローラ１０と紫外線照射器１１を操作して、粘着ローラ１０と紫外線照射器１１の照射窓３１を作業着の表面にあてて撫でるだけの作業を行えばよいため、エアシャワーを利用する場合と比較して作業者への負担が小さい。
【００５８】
［第二実施形態］
本発明の殺菌機能付き清掃具１の第二実施形態の構成につき、第一実施形態と異なる箇所を中心に説明する。
【００５９】
図５は、殺菌機能付き清掃具１の第二実施形態の模式的な全体斜視図である。第二実施形態の殺菌機能付き清掃具１においては、紫外線照射器１１がＵ字形状を呈しており、把持部１２が延伸する方向１４と、粘着ローラ１０の中心軸の方向１５が平行となるように構成されている点で第一実施形態とは異なっている。
【００６０】
図６Ａは、図５の殺菌機能付き清掃具１の模式的な底面図である。また、図６Ｂは、図６Ａの殺菌機能付き清掃具１の紫外線照射器１１と把持部１２のみを表した模式的な底面図である。図６Ａに示されている殺菌機能付き清掃具１は、図６Ｂに示されているＵ字形状に形成された紫外線照射器１１の凹んだ空間６０に粘着ローラ１０が配置されている。
【００６１】
紫外線照射器１１は、粘着ローラ１０の径方向６１に関して、粘着ローラ１０を挟むように二つの照射窓３１を備えており、それぞれの照射窓３１ごとに二本の紫外線光源３０が収容されている。
【００６２】
かかる構成とすることで、上述のように、操作者は、把持部１２を握って清掃対象物に粘着ローラ１０を接触させ、図６Ａに示されている、いずれの径方向６１に向かって動かしたとしても、いずれか一方の照射窓３１によって、清掃対象物から付着物が除去されたところに紫外線Ｌ１を照射することができる。
【００６３】
なお、第二実施形態では、紫外線照射器１１が二つの照射窓３１を備えるものとして説明したが、少なくとも粘着ローラ１０を挟む複数箇所に照射窓３１が配置されていればよい。すなわち、本発明は、紫外線照射器１１が三つ以上の照射窓３１を備える構成を排除しない。
【００６４】
［第三実施形態］
本発明の殺菌機能付き清掃具１の第三実施形態の構成につき、第一実施形態及び第二実施形態と異なる箇所を中心に説明する。
【００６５】
図７は、第三実施形態の殺菌機能付き清掃具１が備える紫外線照射器１１の構成を示す底面拡大図であり、図４Ｂにならって図示されたものである。図７に示すように、第三実施形態の紫外線照射器１１には、近接センサ７０が備えられている。この近接センサ７０は、照射窓３１と清掃対象物が所定の距離以内まで近接していることを検出する機能を有する。
【００６６】
近接センサ７０は、照射窓３１と清掃対象物が前記所定の距離以内まで近接していることを検知すると、制御部３６（図３Ｂ参照）に信号を出力する。制御部３６は、近接センサ７０からの前記信号に基づいて、給電部３５に対して、電極（３２ａ，３２ｂ）間へ電圧を印加するように制御する。すなわち、紫外線照射器１１は、近接センサ７０からの信号に基づいて紫外線Ｌ１の照射が制御される。
【００６７】
かかる構成によれば、照射窓３１と清掃対象物が所定の距離以内まで近接していない時は、紫外線光源３０の電極（３２ａ，３２ｂ）間に電圧が印加されることがなくなり、紫外線Ｌ１が照射されることがない。この結果、操作者が意図しないタイミングで紫外線Ｌ１が照射されるという事態が生じず、高い安全性が担保される。また、無駄な電力消費を抑制することができるという効果を得られる。
【００６８】
［第四実施形態］
本発明の殺菌機能付き清掃具１の第四実施形態の構成につき、第一実施形態、第二実施形態及び第三実施形態と異なる箇所を中心に説明する。
【００６９】
図８Ａは、第四実施形態の殺菌機能付き清掃具１が備えるローラ本体部２０の側面の模式的な断面拡大図である。図８Ａに示すローラ本体部２０には、回転センサ８０が備えられている。この回転センサ８０は、粘着ローラ１０が回転していることを検出する機能を有する。図８Ｂは、第四実施形態の殺菌機能付き清掃具１が備えるローラ本体部２０の正面の模式的な断面拡大図であり、回転センサ８０の配置例を示すものである。
【００７０】
回転センサ８０は、支持アーム１３によって装着されることで支持されており、粘着ローラ１０が回転すると、ローラ本体部２０と回転センサ８０が接触していることによって回転センサ８０も回転し、粘着ローラ１０の回転を検知することができる。なお、図８Ａ及び図８Ｂでは、回転センサ８０とローラ本体部２０を区別できるようにするため、回転センサ８０とローラ本体部２０は、僅かに離間して図示されている。
【００７１】
図８Ｂに示す例では、中空状の支持アーム１３の内部を挿通された信号線８１が備えられており、この信号８１を介して、回転センサ８０と紫外線照射器１１とが電気的に接続されている。ただし、信号線８１は、支持アーム１３の外部に沿わせるように配線されていてもよい。また、回転センサ８０が所定の信号形式の無線信号を送信する送信部（不図示）を有するとともに、制御部３６（図３Ｂ参照）が前記無線信号を受信する受信部を有しており、回転センサ８０は、粘着ローラ１０の回転を検出すると、制御部３６に対してその旨の信号を送信するものであっても構わない。
【００７２】
回転センサ８０は、粘着ローラ１０が回転していることを検出すると、制御部３６（図３Ｂ参照）に信号を出力する。制御部３６は、近接センサ７０からの前記信号に基づいて、給電部３５に対して、電極（３２ａ，３２ｂ）間へ電圧を印加するように制御する。すなわち、紫外線照射器１１は、回転センサ８０からの信号に基づいて紫外線Ｌ１の照射が制御される。
【００７３】
かかる構成によれば、粘着ローラ１０が回転していない時は、紫外線光源３０の電極（３２ａ，３２ｂ）間に電圧が印加されることがなくなり、紫外線Ｌ１が照射されることがない。この結果、操作者が意図しないタイミングで紫外線Ｌ１が照射されるという事態が生じず、高い安全性が担保される。また、無駄な電力消費を抑制することができるという効果も得られる。
【００７４】
なお、図８Ａ及び図８Ｂには、回転センサ８０がローラ本体部２０の内壁面の周方向８２全体に接触して配置されている態様が図示されているが、これはあくまで一例である。例えば、回転センサ８０は、ローラ本体部２０の内壁面の一部に接触して配置されていても構わないし、ローラ本体部２０とは非接触に回転を検知できるセンサであっても構わない。
【００７５】
なお、本発明に係る殺菌機能付き清掃具１は、第三実施形態で上述した近接センサ７０と、第四実施形態で上述した回転センサ８０の双方を備えていても構わない。双方のセンサの信号に基づいて電極（３２ａ，３２ｂ）間への電圧の印加が制御されることにより、高い安全性の確保と、消費電力の削減効果が得られる。
【００７６】
［別実施形態］
以下、別実施形態につき説明する。
【００７７】
〈１〉  紫外線光源３０は、主たる波長が２００ｎｍ〜２３０ｎｍの紫外線Ｌ１を発する光源である場合、放射照度は低いものの、紫外線Ｌ１には、２３０ｎｍ〜３００ｎｍの波長の成分が一部含まれる場合がある。この場合に、紫外線光源３０から出射された紫外線Ｌ１がそのまま照射窓３１から紫外線照射器１１の外部に取り出されると、人体に対して悪影響を及ぼす可能性がある２３０ｎｍ〜３００ｎｍの波長の紫外線Ｌ１が人体に対して照射される場合が起こり得る。
【００７８】
そこで、紫外線照射器１１は、照射窓３１の面上、又は照射窓３１と紫外線光源３０との間に、２３０ｎｍ〜３００ｎｍの紫外線Ｌ１を遮光するためのフィルタを備えるものとしても構わない。
【００７９】
かかる構成によれば、紫外線光源３０内で生成される紫外線Ｌ１に、人体に悪影響を及ぼす可能性がある波長成分（すなわち、上記２３０ｎｍ〜３００ｎｍ）が含まれている場合においても、殺菌に用いられる２００ｎｍ〜２３０ｎｍの紫外線Ｌ１は照射窓３１から放射される一方で、人体に悪影響を及ぼす可能性がある２３０ｎｍ〜３００ｎｍの紫外線Ｌ１については照射窓３１から照射されないようにすることができる。
【００８０】
〈２〉  近接センサ７０（図７参照）又は回転センサ８０（図８Ａ参照）の信号に基づいて、電極（３２ａ，３２ｂ）間への電圧の印加を制御するための制御部３６（図３Ｂを参照）が、紫外線照射器１１に設けられたＬＥＤ素子（不図示）の点灯制御を行うものとしても構わない。かかる構成によれば、清掃対象物に対して紫外線Ｌ１の照射ができていることを操作者に確認させる効果が得られる。特に、近接センサ７０に基づいて制御部３６が制御される場合には、ＬＥＤ素子の点灯状態により、照射窓３１が清掃対象物に対して十分に近接されていることを操作者に報知できる。
【００８１】
〈３〉  上記各実施形態で図示した紫外線光源３０の構造はあくまで一例であり、本発明をかかる構成に限定する趣旨ではない。
【符号の説明】
【００８２】
１        ：    殺菌機能付き清掃具
１０      ：    粘着ローラ
１１      ：    紫外線照射器
１２      ：    把持部
１３      ：    支持アーム
１４      ：    軸方向
１５      ：    延伸方向
２０      ：    ローラ本体部
２１      ：    粘着シート
２２      ：    周方向
２３      ：    接続部
２４      ：    周方向
３０      ：    紫外線光源
３１      ：    照射窓
３２ａ    ：    電極
３２ｂ    ：    電極
３３      ：    反射部材
３４      ：    ケーシング
３５      ：    給電部
３６      ：    制御部
４０      ：    管体
６０      ：    空間
６１      ：    径方向
７０      ：    近接センサ
８０      ：    回転センサ
８１      ：    信号線
８２      ：    周方向
Ｇ１      ：    放電用ガス
Ｌ１      ：    紫外線
【図１】
2020099480.tif 000003
【図２Ａ】
2020099480.tif 000004
【図２Ｂ】
2020099480.tif 000005
【図３Ａ】
2020099480.tif 000006
【図３Ｂ】
2020099480.tif 000007
【図４Ａ】
2020099480.tif 000008
【図４Ｂ】
2020099480.tif 000009
【図５】
2020099480.tif 000010
【図６Ａ】
2020099480.tif 000011
【図６Ｂ】
2020099480.tif 000012
【図７】
2020099480.tif 000013
【図８Ａ】
2020099480.tif 000014
【図８Ｂ】
2020099480.tif 000015